(57)【要約】  本発明は、ビデオ信号の処理遅延を引き起こす、ビデオ信号の処理をするビデオ信号処理ユニットと、ビデオ信号の処理遅延に対する最大許容値に応じてビデオ信号処理ユニットを制御するビデオ遅延制御手段と、を具えている処理システムを提供する。本発明はまた、ビデオ信号をビデオ信号処理ユニットに送信する出力手段と、ビデオ信号処理ユニットにおけるビデオ信号の処理によって引き起こされるビデオ信号の処理遅延に対する最大許容値をビデオ信号処理ユニットに通信する出力手段と、を具えているオーディオビデオ信号源も提供する。本発明はさらに、最大のオーディオ遅延を超えないオーディオ信号の処理遅延を引き起こす、オーディオ信号の処理をするオーディオ信号処理手段と、ビデオ信号処理ユニットにおけるビデオ信号の処理によって引き起こされるビデオ信号の処理遅延に対する最大許容値をビデオ信号処理ユニットに通信する出力手段と、を具え、ビデオ信号の処理遅延に対する最大許容値が最大のオーディオ遅延に依存するようにした、オーディオ信号処理装置も提供する。
2008543149.tif 000002
【特許請求の範囲】
【請求項１】
ビデオ信号の処理遅延を引き起こす、ビデオ信号の処理をするビデオ信号処理ユニットと、
前記ビデオ信号の処理遅延に対する最大許容値に応じて前記ビデオ信号処理ユニットを制御するビデオ遅延制御手段と、
を具えている、処理システム。
【請求項２】
オーディオ信号の処理遅延を引き起こす、オーディオ信号の処理をするオーディオ信号処理ユニットをさらに具え、
前記ビデオ信号の処理遅延に対する前記最大許容値が、前記オーディオ信号の処理遅延の最大値に依存するようにした、請求項１に記載の処理システム。
【請求項３】
ビデオ信号および前記ビデオ信号の処理遅延に対する前記最大許容値を前記ビデオ信号処理ユニットに供給する信号源をさらに具える、請求項１に記載の処理システム。
【請求項４】
ビデオ信号の処理遅延を引き起こす、ビデオ信号の処理を行うステップと、
前記ビデオ信号の処理遅延に対する最大許容値に応じて前記ビデオ信号の処理を制御するステップと、
を有する、ビデオ信号処理方法。
【請求項５】
ビデオ信号をビデオ信号処理ユニットに送信する送信手段と、
前記ビデオ信号処理ユニットにおけるビデオ信号の処理によって引き起こされるビデオ信号の処理遅延に対する最大許容値を前記ビデオ信号処理ユニットに通信する通信手段と、
を具えている、オーディオ−ビデオ信号源。
【請求項６】
最大のオーディオ遅延を超えないオーディオ信号の処理遅延を引き起こす、オーディオ信号の処理をする処理手段と、
ビデオ信号処理ユニットにおけるビデオ信号の処理によって引き起こされるビデオ信号の処理遅延に対する最大許容値を当該ビデオ信号処理ユニットに通信する通信手段と、
を具え、前記ビデオ信号の処理遅延に対する最大許容値が前記最大のオーディオ遅延に依存するようにした、オーディオ信号処理装置。
【発明の詳細な説明】
【技術分野】
【０００１】
本発明は、オーディオ−ビデオ処理システムに用いる機器に関するものである。
【背景技術】
【０００２】
米国特許第５２０２７６１号には、オーディオ周波数の信号をビデオ信号の遅延と実質的に同じ量だけ正確に遅延させるための制御可能な可変のオーディオ遅延回路に結合される、ビデオ装置に流れるビデオ信号の遅延を正確に測定するための遅延検出器を有するオーディオ同期装置が開示されている。外部ビデオ処理デバイスからの代替遅延入力信号が、任意のインタフェースを介してオーディオ同期装置に入力される典型的な接続の態様が示されている。
【発明の開示】
【発明が解決しようとする課題】
【０００３】
本発明の目的は、特に、オーディオ−ビデオ処理システムに用いる改良した機器を提供することにある。
【課題を解決するための手段】
【０００４】
本発明は、独立請求項により規定されるものである。有利な実施形態は従属請求項により規定する。
【０００５】
本発明の一態様は、ＡＶシステムのオーディオ部分が、そのＡＶシステムのビデオ部分において起こり得るあらゆる遅延に整合することができない場合、および／または、コンテンツがゲーム機から入力されるため、所定の最大遅延を超えるビデオ処理の遅延がゲームを台無しにするために断じて容認できない場合に適用できる解決策を、従来技術では提供することができない、という見識に基づいている。これらの懸念を考慮して、本発明は、ビデオ信号の処理遅延に対する最大許容値に応じてビデオ信号処理を制御する、ビデオ遅延の制御を提供する。この最大許容遅延に基づいて、ビデオ信号処理を、許容できる最大遅延を超えるビデオ処理の遅延が発生しないモードに制限することができる。
【０００６】
したがって、本発明は、ビデオ信号の処理遅延を引き起こす、ビデオ信号の処理をするビデオ信号処理ユニットと、前記ビデオ信号の処理遅延に対する最大許容値に応じて前記ビデオ信号処理ユニットを制御するビデオ遅延制御手段と、を具えている処理システムを提供する。本発明はまた、ビデオ信号をビデオ信号処理ユニットに送信する出力手段と、前記ビデオ信号処理ユニットにおけるビデオ信号の処理によって引き起こされるビデオ信号の処理遅延に対する最大許容値を前記ビデオ信号処理ユニットに通信する出力手段と、を具えているオーディオ−ビデオ信号源も提供する。本発明はさらに、最大のオーディオ遅延を超えないオーディオ信号の処理遅延を引き起こす、オーディオ信号処理手段と、ビデオ信号処理ユニットにおけるビデオ信号の処理によって引き起こされるビデオ信号の処理遅延に対する最大許容値を当該ビデオ信号処理ユニットに通信する出力手段と、を具え、前記ビデオ信号の処理遅延に対する最大許容値が前記最大のオーディオ遅延に依存するようにした、オーディオ信号処理装置も提供する。
【０００７】
本発明のこれらおよび他の態様を、以下に記載する実施例を参照して説明し、明らかにする。
【発明を実施するための最良の形態】
【０００８】
以下、本発明によるシステムの実施例の動作について説明する。例えばコンテンツシステムのようなオーディオビデオ信号源ＡＶＳＳは、オーディオおよびビデオ信号をデコードおよび／または生成する。これは、ＤＶＤプレーヤ、ホームシネマセットとすることができるのみならず、セットトップボックスまたはゲーム機とすることもできる。したがって、そのコンテンツは、ＤＶＤや、ネットワークからか、または局所的に生成することができる。ユーザは、任意の増幅器ＡＭＰを介在させてスピーカＬＳによってオーディオ信号ＡＳを聞くことができる。ホームシネマシステムはスピーカに直に接続できるため、この増幅器は随意である。
【０００９】
ビデオ信号は、アナログまたはデジタルインタフェースを介して、テレビ受像機またはモニタで構成されるビデオ信号処理ユニットＶＳＰＵに直接送出される。ビデオチャネルＶＣの他に、例えばＤＶＩおよびＨＤＭＩにおけるＣＥＣ、ＤＤＣ、または幾つかのアナログテレビシステムにおけるＡＶリンクのような通信チャネルＣＣも設けることができる。ビデオ信号処理ユニットＶＳＰＵはビデオ信号を処理し、その処理がディスプレイ上のビデオの表示に遅延を生じることがある。この遅延は、ビデオ信号処理ユニットＶＳＰＵ（例えばテレビシステム）における処理に依存し、またこの処理は、ビデオコンテンツ（映画、ビデオ、インタレース方式、プログレッシブ方式など）のみならずユーザの嗜好（ユーザは特定のモード／嗜好モードに処理を強制することができる）にも依存し得る。特定モード／ユーザ嗜好のモードに関連する遅延についての情報は、ケーパビリティ／ステータス情報ブロックＶＳＳＩＢに格納され、これはコンテンツシステムから通信チャネルを経てアクセスできる。その情報を用いて、コンテンツシステムにおけるオーディオ処理の遅延を変化させることができる。
【００１０】
以下の動作を行うことができる。
【００１１】
〔コンテンツシステム強制モード〕
オーディオビデオ信号源ＡＶＳＳは、それがコンテンツをビデオ信号で出力し始めるときに、特定のモードにおける遅延を示すケーパビリティ情報をビデオ信号処理ユニットＶＳＰＵから読み出すことができる。オーディオビデオ信号源ＡＶＳＳがゲーム機である場合には、それは、（制御箇所にその旨を書き込むことにより）ビデオ信号処理ユニットＶＳＰＵを強制的に（ゲームに必要な）最低遅延モードにすることができる。オーディオビデオ信号源ＡＶＳＳがＤＶＤプレーヤまたはセットトップボックス（ＳＴＢ）である場合には、それは、ビデオ信号処理ユニットＶＳＰＵを、強制的に、ディスプレイ上で最高画質になるモードに、または、オーディオビデオ信号源ＡＶＳＳ（ＳＴＢ／ＤＶＤ）が補償することができる最大のオーディオ遅延に依存するモードにすることができる。
【００１２】
〔適応モード〕
ビデオ信号処理ユニットＶＳＰＵは、ビデオコンテンツを受信して、処理モードを（コンテンツおよびユーザ設定に応じて）動的に変化させることができ、このようにして、それは、オーディオビデオ信号源ＡＶＳＳからアクセス可能なメモリＡＶＳＩＢのケーパビリティ／ステータス情報を更新する。ビデオ信号処理ユニットＶＳＰＵは、随意、オーディオビデオ信号源ＡＶＳＳに（通信チャネルを用いて）割り込みを発生させて、その変化を指示することができる。オーディオビデオ信号源ＡＶＳＳは、定期的にステータスレジスタを感知するか、または、割り込みに随意応答して、ステータス情報に従って、関連する遅延に最も近いオーディオ遅延を変化させることができる。ビデオ信号処理ユニットＶＳＰＵが、処理における最後のユニットではない場合（それの後に同じインタフェースを有する追加のシステムがある場合）には、ビデオ信号処理ユニットＶＳＰＵが、その遅延を他のデバイスの遅延に加える必要があるか、または、コンテンツシステムが、処理チェーン内の全ての遅延を読み取って、それらを加算する必要がある。
【００１３】
〔テレビシステム強制モード〕
ビデオ信号処理ユニットＶＳＰＵが、オーディオビデオ信号源ＡＶＳＳから（遅延の可能性についての）ケーパビリティ情報を読み取って、オーディオビデオ信号源ＡＶＳＳが、それ自身のビデオ処理の遅延に依存してオーディオビデオ信号を強制的に遅延させるようにすることも可能である。
【００１４】
図２は、本発明によるビデオ処理装置の一実施例を示している。入力ビデオ信号は、ビデオ入力バッファＶＩＢに供給される。ビデオ入力バッファＶＩＢの出力端は、処理および遅延を伴うメモリＭＥＭと、例えばデインタレースおよびスケーリングをする処理ユニットＰＲＯＣとに接続される。処理ユニットＰＲＯＣは、処理制御信号ＰＲＯＣＣＯＮＴにより制御される。メモリＭＥＭおよび処理ユニットＰＲＯＣの出力は、ビデオ出力バッファＶＯＢに接続される。本実施例では、以下の処理モードにすることができる。
2008543149.tif 000003
上の表の例は、当然、ビデオ標準に依存する。示した時間は、ＰＡＬ標準に関連する。全てのモードにおいて、メモリの空き容量に応じて遅延を追加できる。
【００１５】
図３は、本発明によるオーディオ−ビデオ信号源ＡＶＳＳの一実施例を示している。
ここで用いる記号を以下説明する。
ＴＳ＝トランスポートストリーム入力（セットトップボックス用）
ＰＳ＝プログラムストリーム入力（ＤＶＤまたはセットトップボックス用）
ＥＳ＝エレメンタリストリーム（ビデオまたはオーディオ情報のみ）
ＰＴＳ＝プレゼンテーションタイムスタンプ（いつピクチャまたはオーディオサンプルをスクリーンまたはスピーカに出力する必要があるかを示す）
ＤＴＳ＝デコーディングタイムスタンプ（再秩序化のために用い、いつ画像／音をデコードする必要があるかを示す）
ＰＣＲ＝プログラムクロックリカバリ（受信機のクロックをエンコーダのクロックに同期するために用いる）
【００１６】
信号ＴＳおよびＰＳは、オーディオエレメンタリストリームＡ−ＥＳ、ビデオエレメンタリストリームＶ−ＥＳ、および信号ＰＴＳ、ＤＴＳおよびＰＣＲを生成するために、デマルチプレクサＤＥＭＵＸに供給される。圧縮ドメインＣＤには、オーディオエレメンタリストリームＡ−ＥＳを受信するオーディオバッファＡ−ｂｕｆｆと、ビデオエレメンタリストリームＶ−ＥＳを受信するビデオバッファＶ−ｂｕｆｆとがある。オーディオバッファＡ−ｂｕｆｆおよびビデオバッファＶ−ｂｕｆｆは、信号ＰＴＳ、ＤＴＳおよびＰＣＲを受信するＰＬＬ／ｓｙｎｃ処理兼遅延制御ユニットＣＴＲＬにより制御される。オーディオバッファＡ−ｂｕｆｆおよびビデオバッファＶ−ｂｕｆｆからの信号は、それぞれオーディオデコーダＡ−ｄｅｃおよびビデオデコーダＶ−ｄｅｃに供給され、これらはＰＬＬ／ｓｙｎｃ処理兼遅延制御ユニットＣＴＲＬによって制御される。オーディオデコーダＡ−ｄｅｃおよびビデオデコーダＶ−ｄｅｃからの信号は、それぞれ非圧縮ドメインＵＣＤのオーディオ出力バッファＡ−ｏｕｔｂｕｆおよびビデオ出力バッファＶ−ｏｕｔｂｕｆに供給される。オーディオ出力バッファＡ−ｏｕｔｂｕｆおよびビデオ出力バッファＶ−ｏｕｔｂｕｆも、ＰＬＬ／ｓｙｎｃ処理兼遅延制御ユニットＣＴＲＬによって制御される。
【００１７】
圧縮ドメインＣＤで（デマルチプレクシング後に）ビデオおよびオーディオ信号を遅延させて、大きいバッファを不要にすることが可能である。ＰＴＳなどが分かっている場合には、クロック制御ユニットＣＴＲＬは、要求される出力遅延に応じて出力を遅延させることができる。制御ユニットＣＴＲＬは（デコーディングタイムスタンプを使用して）デコーダも制御し、そして（プレゼンテーションタイムスタンプを使用して）出力も制御して、この出力にて、ディスプレイユニットに送出する前に、バッファＡ−ｏｕｔｂｕｆおよびＶ−ｏｕｔｂｕｆを用いて、ビデオおよびオーディオ信号を遅延させることもできる。制御ユニットＣＴＲＬはまた、ディスプレイユニットと設定について通信するためにも用いられ、ディスプレイユニットがケーパビリティ制御メモリＭＥＭを用いてプレーヤのケーパビリティ情報を読み出すようにできる。制御ユニットＣＴＲＬはまた、ＴＶのケーパビリティ情報および書き込み制御情報を読み出すための接続線Ｃを有することもできる。
【００１８】
なお、上述した実施例は、本発明を説明するものであり、制限するものではないことに留意すべきである。また、当業者であれば、添付の特許請求の範囲内において、幾多の別の実施例を設計することができることにも留意すべきである。「具える」という用語は、請求項に列挙した以外の要素またはステップの存在を排除するものではない。本発明は、いくつかの異なる要素を具えるハードウェアによって、および／または最適にプログラムされたプロセッサによって実施することができる。いくつかの手段を列挙している装置の請求項において、これらの手段のいくつかは、同一のハードウェアによって実現することができる。特定の手段が互いに異なる従属請求項において繰り返し記載されている場合でも、これらの手段を有効に組み合せて用いることができないことを示すものではない。
【図面の簡単な説明】
【００１９】
【図１】本発明によるシステムの一実施例を示す図である。
【図２】本発明によるビデオ処理装置の一実施例を示す図である。
【図３】本発明によるオーディオ−ビデオ信号源の一実施例を示す図である。
【図１】
2008543149.tif 000004
【図２】
2008543149.tif 000005
【図３】
2008543149.tif 000006
【国際調査報告】
2008543149.tif 000007
2008543149.tif 000008
2008543149.tif 000009